(57)【特許請求の範囲】
【請求項１】
ネットワーク上に，コンピュータ機器などのクライアントと通信可能に接続され，前記クライアントから印字要求されたデータを，所定のタイミングで用紙の搬送制御を行って出力するイメージ入出力装置において，
前記用紙の搬送路に関する表示情報を前記クライアントに送信する際に，前記クライアントからの指示に基づいて，前記搬送路を所定刻みステップに設定することを特徴とするイメージ入出力装置。
【請求項２】
ネットワーク上に，コンピュータ機器などのクライアントと通信可能に接続され，前記クライアントから印字要求されたデータを，所定のタイミングで用紙の搬送制御を行って出力するイメージ入出力方法において，
前記用紙の搬送路に関する表示情報を前記クライアントに送信する際に，前記クライアントからの指示に基づいて，前記搬送路を所定刻みステップに設定することを特徴とするイメージ入出力方法。
【発明の詳細な説明】
【０００１】
【発明の属する技術分野】
本発明は，複写機やファクシミリ装置，プリンタなどのイメージ入出力装置に関し，より詳細には，搬送路やその用紙の搬送状況などを直感的に理解可能な表示情報として，ネットワークなどで接続されたクラアントであるパーソナルコンピュータ等にデータ転送するイメージ入出力装置，イメージ入出力方法に関する。
【０００２】
【従来の技術】
従来，デジタル複写機やファクシミリ・プリンタ，あるいはこれらの機能を複合した単数あるいは複数の画像形成装置（サーバ）を，ネットワークを介して遠隔地のサービスセンターなどに設置されたクライアントＰＣに接続し，画像形成装置の稼働状況を監視するシステムが知られている。このシステムは，画像形成装置の稼働状況などのデータを収集し，そのデータに基づいて所定のメンテナンス（サプライや備品の保守・交換）を迅速に行うものである。また，ネットワーク上に，上記画像形成装置（サーバ）とクライアントＰＣとを接続し，クライアントＰＣからのデータを画像形成装置（サーバ）で印字するユーザシステムも多い。
【０００３】
【発明が解決しようとする課題】
しかしながら，上記に示されるような従来の技術にあっては，１つあるいは複数の画像形成装置（サーバ）と該装置を監視するクライアントＰＣを双方向通信可能に接続したシステムにあっては，サービスセンターにおいて画像形成装置の稼働状況やジャム発生回数などのデータを行うことが可能であるが，装置内部の用紙（原稿・記録紙）の搬送状態を詳細に把握することができないという問題点があった。
【０００４】
また，クライアントＰＣから出力された印字データを画像形成装置（サーバ）で記録紙に印字する場合，クライアントＰＣ側で用紙搬送路の状態や用紙搬送状態が的確に把握することができないので，例えば，給紙中，排紙完了，ジャムの発生などの状況をエンドユーザにおいて視覚的に，かつ的確に知ることができなないという問題点があった。
【０００５】
本発明は，上記に鑑みてなされたものであって，クライアントＰＣ側で，画像形成装置の用紙搬送路の搬送状態などを表示し，給紙中，排紙完了，ジャムの発生などの状況をエンドユーザあるいはサービス部門に伝達することにより，装置の状態を視覚的に，かつ的確に把握可能にすることを目的とする。
【０００６】
【課題を解決するための手段】
上記の目的を達成するために，請求項１に係るイメージ入出力装置にあっては，ネットワーク上に，コンピュータ機器などのクライアントと通信可能に接続され，前記クライアントから印字要求されたデータを，所定のタイミングで用紙の搬送制御を行って出力するイメージ入出力装置において，前記用紙の搬送路に関する表示情報を前記クライアントに送信する際に，前記クライアントからの指示に基づいて，前記搬送路を所定刻みステップに設定するものである。
【０００７】
また，請求項２に係るイメージ入出力方法にあっては，ネットワーク上に，コンピュータ機器などのクライアントと通信可能に接続され，前記クライアントから印字要求されたデータを，所定のタイミングで用紙の搬送制御を行って出力するイメージ入出力方法において，前記用紙の搬送路に関する表示情報を前記クライアントに送信する際に，前記クライアントからの指示に基づいて，前記搬送路を所定刻みステップに設定するものである。
【００１０】
【発明の実施の形態】
以下，本発明のイメージ入出力装置，イメージ入出力方法の実施の形態について添付図面を参照し，詳細に説明する。
【００１１】
（ハードウェアの構成）
図１は，実施の形態に係るシステムのハードウェア構成を示すブロック図であり，ネットワーク１５０に，大きくはイメージ入出力装置１２０とブローカ１４０と，パーソナルコンピュータ（ＰＣ）１６０と，を接続したシステム構成となっている。
【００１２】
イメージ入出力装置１２０は，図示の如く構成されている。１００は装置全体を統括的に制御するＣＰＵである。このＣＰＵ１００には，バス１０２を介し，その制御下にプログラムコードやフォント，その他の静的なデータが格納されているＲＯＭ１０３と，一時的な格納領域（ワーキングメモリ）として利用されるＲＡＭ１０４と，不揮発性のデータを格納しておくＮＶＲＡＭ１０５と，操作パネル１０１の制御（ユーザとのインターフェイスを司る）を実行するパネル制御部１０６と，紙原稿の読み取りおよび記録紙への印刷を実行するため，スキャン／プリントエンジン１１１を制御するエンジン制御部１０７と，大量のイメージデータなどの蓄積およびデータベースの格納領域として利用され，記憶装置１１２を制御するディスクドライバ１０８と，イーサネットワークなどのネットワーク１５０に接続され，外部の機器との通信制御を行う通信制御部１０９と，公衆回線と接続され，外部の機器との通信を可能にするモデム１１０とが接続されている。
【００１３】
また，ブローカ１４０は，ネットワーク１５０との通信制御を実行する通信制御部１４１と，ブローカ１４０全体を制御するＣＰＵ１４２と，制御プログラムなどが格納されているＲＯＭ１４３と，制御途中のデータなどを格納するためのＲＡＭ１４４と，機能情報などが格納されているデータベース１４５とから構成されている。なお，このブローカ１４０は，ＣＰＵやＲＯＭ，ＲＡＭ，通信制御部，機能情報データベースを有しているものであり，ＰＣあるいはイメージ入出力装置のどちら側に存在してもよい。
【００１４】
（イメージ入出力装置の動作）
ＲＯＭ１０３にはプログラムコードやフォント，およびその他のスタティックな情報を格納する。ＲＡＭ１０４は，一時的な記憶場所として利用される。ＮＶＲＡＭ１０５には不揮発性の情報を格納する。
【００１５】
操作パネル１０１とパネル制御部１０６とによりユーザとのインターフェイスを司る。また，スキャン／プリントエンジン１１１とエンジン制御部１０７は，イメージデータの入出力ユニットとして，シート原稿の読み取りおよび記録紙への印刷を実行する。
【００１６】
また，記憶装置１１２とディスクドライバ１０８は，大容量蓄積デバイスであるので大量のイメージデータを蓄積するときなどに使用される。通信制御部１０９は，イーサーネットなどのネットワーク（ＬＡＮ）１５０を介し，外部機器との通信を可能とし，モデム１１０は公衆回線（ＷＡＮ）と接続され，外部機器との通信を実行する。
【００１７】
また，ブローカ１４０は，ネットワーク１５０に接続されているイメージ入出力装置１２０が有している機能情報を維持／管理し，クライアント（この場合，ＰＣ１６０）とサーバ（この場合，イメージ入出力装置）との接続を確立する役目を請け負うミドルウェアとしての機能動作を行う。
【００１８】
（ソフトウェアの構成）
図２は，実施の形態に係るソフトウェアの構成を示すブロック図である。ここでは，図示の如く，アプリケーション層２０１と，カーネル層２０２と，ドライバ層２０３と，ハードウェア層２０４と，いうように大きくは４つの層（レイヤー）に分けられている。
【００１９】
アプリケーション層２０１は，コピー・ファックス・プリンタなどのアプリケーションを形成するレイヤーであり，後述するオペレーションマネージャ２０５と，ドキュメントマネージャ２０６と，サービスマネージャ２０７と，デバイスマネージャ２０８と，データベースマネージャ２０９と，の各ブロックで構成される。
【００２０】
オペレーションマネージャ２０５は，装置に付属・接続されている操作パネル１０１を制御するものであり，ボタンの表示およびボタンオペレーションのノーティファイ・アラートの通知などの各種制御を実行する。また，ドキュメントマネージャ２０６は，コピー・ファックス・プリンタなどのシナリオに基づいてドキュメントをハンドリングするアプリケーションとしては中心となる機能ブロックである。
【００２１】
また，サービスマネージャ２０７は，ドキュメントハンドリングの際に共通に必要となる機能ブロックであり，各種の管理とそれを実行する。また，デバイスマネージャ２０８は，スキャナ・プロッタ・画像バス（図１におけるスキャン／プリントエンジン１１１，バス１０２）といった物理デバイスの動作を決定する機能ブロックであり，各種のデバイスの管理とそれを実行する。
【００２２】
また，データベースマネージャ２０９は，フォント・定形フォーム・ファックス受信履歴・装置の利用履歴・課金データなどの永続データの維持管理を行うものである。また，本発明では，ここにソフトウェア部品単位の表示情報（後述する図３および図４の表示を実現する）の保管し，検索を行う。このプログラムファクトリ２１０は，ソフトウェアの組立表とソフトウェア部分および互換表とに基づいてプログラム実行のための初期化を実行する。
【００２３】
すなわち，静的に存在するソフトウェア部品をＲＡＭ上に展開（オブジェクト指向プログラミングにおけるインスタンスの生成）し，何らかのメッセージを受け取る（オブジェクト指向プログラミングにおけるメソッドコール）ことにより動作可能な状態にしておく。
【００２４】
カーネル層２０２は，仮想メモリ２１１と，実行プロセス２１２と，ファイルシステム２１３と，ソケット２１４と，仮想マシン２１５と，から構成されている。このカーネル層２０２は，通常ＯＳ（オペレーティング・システム）のカーネル（ｋｅｒｎｅｌ：ＯＳ機能のうちで最も基本的な部分で，ニュークリアスまたは核と呼ばれる）として組み込まれ，各種デバイスを抽象化し，アプリケーションに対してサービスを提供するものであり，アプリケーション層２０１はカーネル層２０２に対してシステムコールすることにより動作する。
【００２５】
ドライバ層２０３は，メモリ管理ドライバ２１６と，プロセス管理ドライバ２１７と，ファイル管理ドライバ２１８と，ネットワークドライバ２１９と，一体型コピードライバ２２０と，ブロッキングデバイスドライバ２２１と，ページデバイスドライバ２２２と，から構成されている。このドライバ層２０３は，各種ハードウェア（図１およびハードウェア層参照）を駆動するたの制御を実行する機能ブロックの集合体である。また，ハードウェア層２０４は，装置内に存在する制御可能なリソースの集合である。
【００２６】
〔用紙搬送情報の表示例〕
次に，パーソナルコンピュータなどのクライアントＰＣ側に対して表示する用紙の搬送路表示データの具体的なものとして，装置の概観を用いた表示例および装置の内部構成を用いた表示例について説明する。
【００２７】
（装置の概観による表示例）
図４は，本発明の実施の形態に係る装置の概観による表示例を示す説明図であり，エンドユーザに提供するビューとなる。（ａ）は装置の概観図と用紙の搬送路（矢印），（ｂ）は用紙情報例をそれぞれ示している。図４（ｂ）において，例えば用紙の先端が所定の搬送路の所定の位置に達したときにイベントを送信したり，あるいは用紙の表示データを転送することも可能である。
【００２８】
（装置搬送路のローラ・センサ配置表示例）
ここでは，表示する用紙の搬送路表示データの具体的な例として複写機の搬送系の詳細について説明する。図３は，本発明の実施の形態に係る装置搬送路のローラ・センサ配置表示例として用いる装置のレイアウト構成を示す説明図であり，装置メーカのサービスパーソンに提供するビューとなる。なお，ここでは複写機を例示しているが，レーザプリンタなどの他の画像形成装置であってももちろんよい。なお，表示例としては必要に応じ，搬送路（破線部分）を主体とした図のみ，あるいは名称・符号を付加した形態など何れであってもよい。また，搬送路表示データとは別に，用紙の表示データと搬送路上の位置情報もクライアント側に転送することも可能である。
【００２９】
この複写機における搬送制御は，用紙を搬送するローラに動力を与えるモータといったアクチェエータと，給紙部や搬送路の用紙有無を検知するセンサなどからなる給紙・搬送系および排紙系を対象として行われる。もちろん，オプション機器である自動原稿送り装置（ＡＤＦ）やソータなども表示対象となる。なお，ここでは，複写機本体部分の各アクチェータ，ローラ，センサなどの配置について図示してある。また，図３では，搬送路を破線で示している。
【００３０】
図３を用い，その各機能部品・ユニットについて記述する。３０１はタンデム型給紙トレイ３０２と通常の給紙トレイ３０３とを備えた給紙バンク，３０４はタンデム型給紙トレイ３０２に積載された用紙を下方から上昇させるための動力源となる紙上昇モータ，３０５は用紙積載部の用紙有無を検知する紙なし検知センサ，３０６は紙上昇位置を検知するための上昇検知センサ，３０７は給紙気候部に用紙を送り込むための呼出しコロ，３０８は呼出しコロ３０７によってピックアップされた用紙を次のローラに給紙する給紙コロ，３０９は給紙コロ３０８に所定圧で当接し，かつそのニップ部分に多数枚の用紙が進入した際に二枚目以降の用紙をトレイ側の戻すトルクリミッタ機構を有する逆転コロ，３１０は中継ローラ，３１１は紙搬送センサである。
【００３１】
また，３１２は片面に複写された用紙を反転して再給紙する機構を有する両面トレイ，３１３は搬送ローラ（１），３１４は搬送ローラ（２），３１５は用紙を反転するための反転ローラ，３１６は反転出口部分の用紙を検知する出口センサ，３１７は反転分岐ソレノイド，３１８は反転中間センサ，３１９は両面中間センサである。
【００３２】
また，３２０は給紙バンク３１０に積載されていない用紙，例えば規格外サイズ用紙，ラベル用紙・ＯＨＰシートなどを１枚ずつ給紙されるための手差し給紙部，３２１は手差し給紙ローラ，３２２は手差し給紙対象の用紙セットを検知する手差し紙なしセンサ，３２３はそのニップ部分に用紙を一旦進入・停止させてスキュー補正し，感光体ドラム上に形成される画像に合致したタイミングで用紙を送り込むレジストローラ，３２４はレジストローラ３２３の直前に設けられ，用紙の先端を検知するレジストセンサである。
【００３３】
また，３２５は静電潜像が形成される感光体ドラム，３２６は画像に応じた光を感光体ドラム３２５に照射する光学部，３２７は感光体ドラム３２５上に形成された静電潜像をトナーによって顕像化する現像装置，３２８は転写ローラ３２９によって感光体ドラム３２５に形成されたトナー像を用紙に転写する転写機構，３３０は定着ローラ３３１および加圧ローラ３３２などを有し，熱定着処理を行う定着装置，３３３は定着装置３３０の出口に設けられた排紙定着センサ，３３４は排紙センサ，３３５は排紙ローラ，３３６は排出分岐ソレノイド，３３７はフェイスアップソレノイドである。
【００３４】
また，３４０は複数の原稿を積載し，順次光学部３２６のコンタクトガラス（不図示）に搬送・回収する自動原稿送り装置，３５０は複写後の用紙をスタック・ソートするソータである。
【００３５】
上記複写機は，給紙バンク３０１の何れかのトレイで選択し，該当するトレイから用紙を給紙する。その際に各ローラなどを移動し，センサにより用紙の通過タイミングを確認しながら搬送・作像工程・定着工程を行い，最終的にソータ３０５の所定のビンに排紙する。この用紙搬送の際に，センサ間のパスをある決められた通過時間（シーケンス設定時間）で通過しない場合は，用紙が搬送路の途中でジャム（紙詰まり）が発生したと判断する。
【００３６】
このように，搬送路の情報として，搬送経路や用紙の搬送状態を装置のレイアウトの上で視覚的に表示することにより，サービスマンがパーソナルコンピュータを介して装置の状態を直感的に把握し，その後の処置がスムーズにかつ的確に行うことが可能となる。
【００３７】
（クライアント・サーバの構築）
図５は，本発明の実施の形態に係るクライアント・サーバの構成を示す説明図であり，特に先の図１で説明したシステムによる具体例を示している。ここでは，図３および図４に示したように，搬送路の表示データ，用紙の表示データ，搬送路上の位置データを，サーバとしてのイメージ入出力装置１２０からクライアントとしてのパーソナルコンピュータ１６０に転送する。そして，印刷ジョブの投入により，その応答として用紙の先端が搬送路上の位置に到達したというイベントをサーバ（イメージ入出力装置１２０）からクライアント（パーソナルコンピュータ１６０）に転送することにより，図５に示すようなクライアント・サーバシステムが構築される。
【００３８】
すなわち，クライアント（パーソナルコンピュータ１６０）からの印刷ジョブ投入により，サーバ（イメージ入出力装置１２０）側は印刷動作を実行し，クライアント（パーソナルコンピュータ１６０）側はグラフィカルに用紙の搬送状況をクライアント（パーソナルコンピュータ１６０）側のディスプレイに表示することが可能となる。
【００３９】
〔データ構造〕
（搬送路の表示データ）
図６は，本発明の実施の形態に係る搬送路の表示データ構造例を示す説明図である。表示データの表現としては，ラスタデータなどの表示データの実体と，ヘッダー部６００とから構成される。ヘッダー部６００には，ネットワーク分散環境などでサーバが複数接続されている環境下で，特定のサーバを識別するＩＤであり，分散ミドルウェアなどにより一意に管理されるサーバ識別子６０１や，後続のデータサイズ（後続のバイト数，実表示データ）が含まれる。
【００４０】
（用紙の表示データ）
図７は，本発明の実施の形態に係る用紙の表示データ構造例を示す説明図である。用紙は搬送路上の位置の識別子（位置ＩＤ７０１）と，搬送路の表示データとの相対的な２次元の座標と，実表示データとが含まれる。位置ＩＤ７０１とは，搬送路上の位置の識別子であり，用紙の先端がその位置を通過したというイベントがサーバから転送されてくる際に，その識別子に従ってどの用紙の実データを表示すればよいかを識別するためにある。Ｘ座標７０２，Ｙ座標７０３は，搬送路の実表示データの左上の座標を原点とした相対的なドット位置である。また，搬送路の実表示データ上に，用紙の実表示データ７０４を重ねて表示することにより，搬送路上の用紙の位置を認識することが可能なシステムを構築する。なお，位置ＩＤ７０１は，上述の如くＸ座標７０２，Ｙ座標７０３，用紙の実表示データ７０４をそれぞれ有し，位置ＩＤの数（ａ，ｂ，・・）だけ繰り返される。
【００４１】
（搬送路上の位置データ）
図８は，本発明の実施の形態に係る搬送路上の位置データ構造例を示す説明図であり，搬送路上の位置の識別子である。サーバ１２０側で，実際の搬送路８００との関連を保つことが必要であるので，その位置ＩＤ８０１として搬送路の開始点からの距離８０２ａやセンサの配置，次の位置８０３ｂなどとを関連付ける。
【００４２】
（位置到達イベントデータ）
図９は，本発明の実施の形態に係る位置到達イベントデータ構造例を示す説明図である。これは，用紙の先端が，搬送路上の所定の位置に到達した際に，サーバ１２０からクライアント１６０に転送されるデータである。位置ＩＤ９０１は，用紙の先端があるセンサ位置を通過した位置を特定するために利用する。また，用紙ＩＤは，サーバ１２０側が任意に付加するＩＤであり，装置内の複数の用紙が同じに存在するときに，それぞれの用紙を識別するための識別子である。すなわち，装置内に同時に存在することが可能な枚数のカウンタ，例えば最大３枚であれば，ＩＤ＝１，２，３，１，２，３，１・・・，で用紙を識別する。
【００４３】
〔アルゴリズム〕
クライアント１６０−サーバ１２０間のインタラクションは，▲１▼データ登録，▲２▼用紙搬送モニタリング，▲３▼位置刻みステップ設定によって進められる。以下，それぞれのインタラクションについて説明する。
【００４４】
▲１▼データ登録
図１０は，本発明の実施の形態に係るクライアント１６０−サーバ１２０間におけるデータ登録例を示す説明図である。初期化時，セッション確立時，ジョブ投入時のいずれかに，搬送路の表示データと用紙の表示データをサーバ１２０からクライアント１６０に転送する。なお，この場合，搬送路上の位置データは，サーバ１２０の初期化時に設定されているものとする。
【００４５】
図１０に示すように，クライアント１６０のドライバが，本発明によるグラフィカル表示機能をサポートしているかを確認し，サポートされているのであれば搬送路と用紙データ（データ構造で定義したデータ）を転送する。すなわち，サーバ１２０に対し，クライアント１６０のドライバがセッションを確立する。そして，サーバ１２０側では搬送路をグラフィカル表示するかを確認し，表示するのであれば，データ構造で定義した搬送路データおよび用紙データをクライアント１６０に送る。
【００４６】
▲２▼用紙搬送モニタリング
図１１は，本発明の実施の形態に係るクライアント１６０−サーバ１２０間における用紙搬送モニタリング例を示す説明図である。クライアント１６０からのジョブ投入後に，サーバ１２０は要求ジョブの実行を開始し，用紙の先端が搬送路上の所定の位置を通過したときに位置到達イベントを発行する。クライアント１６０は，搬送路データを画面の表示しておき，位置到達データを受信したときに，搬送路データ上に用紙データを重ねて表示する。また，搬送路でジャム（紙詰まり）が発生した場合は，位置到達イベントが転送されてこないので，ジャムが発生した位置に用紙の表示がなされたままの状態となり，クライアント１６０側でジャムの発生位置を特定することができる。
【００４７】
▲３▼位置刻みステップ設定
図１２は，本発明の実施の形態に係るクライアント１６０−サーバ１２０間における位置刻みステップ設定例を示す説明図である。ここでは，搬送路の刻みステップとして，例えば２０分割の場合は，引数として２０を与える，をサーバ１２０に設定する。
【００４８】
（実施の形態の効果）
したがって，以上説明したように，イメージ入出力装置（サーバ）１２０の搬送系（一部作像系も含む）を中心とする動作状況をネットワーク（イーサネット）１５０などに接続された遠隔地のクラアント１６０に転送するため，クラアント１６０側で装置を監視することが可能となる。
【００４９】
また，そのユーザインターフェイスは，制御対象（本例では，イメージ入出力装置（サーバ）１２０で搬送される用紙）を直感的に理解可能なものである。印刷の世界では，ＷＹＳＩＷＹＧ（Ｗｈａｔ  Ｙｏｕ  Ｓｅｅ  Ｉｓ  Ｗｈａｔ  Ｙｏｕ  Ｇｅｔ；見たものをそのまま印刷する），つまり，出力するときのイメージをそのまま画面で見られる，という思想が重要視される。本発明はこの思想と類似しており，“制御対象のものがそのまま見える”という思想を実現させるものである。その際に，イメージ入出力装置（サーバ）１２０の機種毎にクライアントＰＣのドライバソフトウェアをインストールしておく必要がなくなる。また，画面表示データと用紙の位置情報，および用紙の位置に対応したイベントのインタラクションを行うことにより，特定機種単位のドライバソフトウェアは不要となる。
【００５０】
【発明の効果】
以上説明したように，本発明に係るイメージ入出力装置（請求項１）によれば，クライアントからの指示に基づいて搬送路を所定刻みステップに設定するため，用紙の位置情報の刻みステップを調整するソフトウェア構築が可能となり，特に刻みステップを細かく設定することによりクライアント側でアニメーション表示を行うことも可能になる。
【００５１】
また，本発明に係るイメージ入出力方法（請求項２）によれば，クライアントからの指示に基づいて搬送路を所定刻みステップに設定するため，用紙の位置情報の刻みステップを調整するソフトウェア構築が可能となり，特に刻みステップを細かく設定することによりクライアント側でアニメーション表示を行うことも可能になる。
【図面の簡単な説明】
【図１】本発明の実施の形態に係るシステムのハードウェア構成を示すブロック図である。
【図２】本発明の実施の形態に係るソフトウェアの構成を示すブロック図である。
【図３】本発明の実施の形態に係る装置搬送路のローラ・センサ配置表示例として用いる装置のレイアウト構成を示す説明図である。
【図４】本発明の実施の形態に係る装置の概観による表示例を示す説明図である。
【図５】本発明の実施の形態に係るクライアント・サーバの構成を示す説明図である。
【図６】本発明の実施の形態に係る搬送路の表示データ構造例を示す説明図である。
【図７】本発明の実施の形態に係る用紙の表示データ構造例を示す説明図である。
【図８】本発明の実施の形態に係る搬送路上の位置データ構造例を示す説明図である。
【図９】本発明の実施の形態に係る位置到達イベントデータ構造例を示す説明図である。
【図１０】本発明の実施の形態に係るクライアント−サーバ間におけるデータ登録例を示す説明図である。
【図１１】本発明の実施の形態に係るクライアント−サーバ間における用紙搬送モニタリング例を示す説明図である。
【図１２】本発明の実施の形態に係るクライアント−サーバ間における位置刻みステップ設定例を示す説明図である。
【符号の説明】
１００  ＣＰＵ
１０１  操作パネル
１２０  イメージ入出力装置（サーバ）
１６０  パーソナルコンピュータ（クライアント）
１５０  ネットワーク（イーサネット）
２０１  アプリケーション層
２０９  データベースマネージャ
６００  ヘッダー部
６０１  サーバ識別子
７０１，９０１  位置ＩＤ
８００  搬送路
９０２  用紙ＩＤ
【図１】
0003920481.tif 000002
【図２】
0003920481.tif 000003
【図３】
0003920481.tif 000004
【図４】
0003920481.tif 000005
【図５】
0003920481.tif 000006
【図６】
0003920481.tif 000007
【図７】
0003920481.tif 000008
【図８】
0003920481.tif 000009
【図９】
0003920481.tif 000010
【図１０】
0003920481.tif 000011
【図１１】
0003920481.tif 000012
【図１２】
0003920481.tif 000013